(57)【特許請求の範囲】
【請求項１】
１つの熱源機に複数の床暖房パネルが接続された温水循環式の床暖房システムにおいて、
各床暖房パネルごとに、この床暖房パネルに対して第１の温度より高い第２の温度の温水を供給する時間を設定する時間設定手段と、
各床暖房パネルごとに、この床暖房パネルによる暖房が開始されてからの経過時間を計測する時間計測手段と、
各床暖房パネルごとに、前記時間計測手段の計測時間が前記時間設定手段の設定時間を越えたか否かを判定する時間判定手段と、
各床暖房パネルごとに、前記時間判定手段の判定結果に基づいて、温水の供給を要求するものであって、前記時間判定手段によって前記時間計測手段の計測時間が前記時間設定手段の設定時間を越えないと判定されると、前記第２の温度の温水の供給を要求し、越えたと判定されると、前記第１の温度の温水の供給を要求する温水供給要求手段と、
この温水供給要求手段の要求に基づいて、前記熱源機から出力される温水の温度を制御する温度制御手段と
を備え、
前記温度制御手段は、前記第１の温度の温水の供給要求と前記第２の温度の温水の供給要求とが競合した場合、前記熱源機から出力される温水の温度を前記第１，第２の温度のうち予め定めた温度に設定するように構成されている
ことを特徴とする温水循環式の床暖房システム。
【請求項２】
各床暖房パネルごとに、この床暖房パネルによる暖房温度を検出する温度検出手段と、
各床暖房パネルごとに、この床暖房パネルによって暖房が開始されてから前記時間計測手段の計測時間が前記時間設定手段の設定時間を越えるまでの間に、前記温度検出手段の検出温度が予め定めた温度を越えたか否かを判定する温度判定手段と、
この温度判定手段により、前記床暖房パネルによって暖房が開始されてから前記時間計測手段の計測時間が前記時間設定手段の設定時間を越えるまでの間に、前記温度検出手段の検出温度が前記予め定めた温度を越えたと判定されると、前記温水供給要求手段の要求を前記第２の温度の温水の供給要求から前記第１の温度の温水の供給要求に切り替える供給要求切替え手段と
を備えたことを特徴とする請求項１記載の温水循環式の床暖房システム。
【請求項３】
前記時間設定手段は、前記床暖房パネル側に設けられている
ことを特徴とする請求項１記載の温水循環式の床暖房システム。
【発明の詳細な説明】
【０００１】
【発明の属する技術分野】
本発明は、１つの熱源機に複数の床暖房パネルが接続された温水循環式の床暖房システムに関する。
【０００２】
【従来の技術】
近年、温水循環式の床暖房システムに対する需要が高まっている。ここで、温水循環式の床暖房システムとは、床に敷かれた床暖房パネルに温水を循環させることにより、室内を暖房するシステムである。
【０００３】
この温水循環式の床暖房システムにおいては、暖房温度の立上がり特性を改善するための機能が設けられている。この機能は、通常、ホットダッシュ機能と呼ばれている。ここで、ホットダッシュ機能とは、運転開始時（暖房開始時）に、予め定めた時間（以下「ホットダッシュ時間」という。）、定常温度（例えば、５０°Ｃ〜７０°Ｃ）より高い温度（例えば、８０°Ｃ）の温水を循環させることにより、暖房温度の立上がりを早くする機能である。
【０００４】
従来の温水循環式の床暖房システムは、熱源機側に暖房を開始してからの経過時間を計測するタイマを設け、床暖房パネル側からは定常温度の温水の供給のみ要求し、熱源機側で暖房を開始してからの時間を管理することにより、ホットダッシュ機能を実現するようになっていた。
【０００５】
【発明が解決しようとする課題】
しかしながら、このような構成では、１つの住戸内で、各部屋ごとに床暖房パネルを設ける場合、各部屋の床暖房の種類（フローリングの部屋の床暖房、畳の部屋の床暖房、カーペットの部屋の床暖房等）に応じたホットダッシュ時間を設定することができないという問題があった。これは、１つの住戸内で、複数の床暖房パネルを設ける場合、通常、システムの経済性を高めるために、１つの熱源機が複数の床暖房パネルに共用されるからである。
【０００６】
本発明はかかる問題点に鑑みてなされたもので、その目的は、各部屋の床暖房の種類に合わせたホットダッシュ時間を設定することができる温水循環式の床暖房システムを提供することにある。
【０００７】
【課題を解決するための手段】
請求項１記載の温水循環式の床暖房システムは、１つの熱源機に複数の床暖房パネルが接続されたシステムにおいて、各床暖房パネルごとに、この床暖房パネルに対して第１の温度より高い第２の温度の温水を供給する時間を設定する時間設定手段と、各床暖房パネルごとに、この床暖房パネルによる暖房が開始されてからの経過時間を計測する時間計測手段と、各床暖房パネルごとに、時間計測手段の計測時間が時間設定手段の設定時間を越えたか否かを判定する時間判定手段と、各床暖房パネルごとに、時間判定手段の判定結果に基づいて、温水の供給を要求するものであって、時間判定手段によって時間計測手段の計測時間が時間設定手段の設定時間を越えないと判定されると、前記第２の温度の温水の供給を要求し、越えたと判定されると、第１の温度の温水の供給を要求する温水供給要求手段と、この温水供給要求手段の要求に基づいて、熱源機から出力される温水の温度を制御する温度制御手段とを備え、温度制御手段は、第１の温度の温水の供給要求と第２の温度の温水の供給要求とが競合した場合、熱源機から出力される温水の温度を第１，第２の温度のうち予め定めた温度に設定するように構成されたものである。
【０００８】
請求項１記載の温水循環式の床暖房システムでは、ある床暖房パネルによる暖房要求が発生すると、温水供給要求手段により第２の温度の温水の供給が要求される。これにより、温水温度制御手段により熱源機から出力される温水の温度が第２の温度に設定される。その結果、暖房要求の発生した床暖房パネルに、第２の温度の温水が供給される。
【０００９】
また、これと並行して、時間計測手段により暖房を開始してからの経過時間が計測されるとともに、時間判定手段により、この計測時間が時間設定手段の設定時間を越えたか否かが判定される。この判定処理により、計測時間が設定時間を越えないと判定されると、温水供給要求手段の温水供給要求は、第２の温度の温水の供給要求に保持される。これに対し、越えたと判定されると、温水供給要求は、第１の温度の温水の供給要求に切り替えられる。これにより、熱源機から出力される温水の温度が第１の温度に設定される。その結果、暖房要求の発生した床暖房パネルに、第１の温度の温水が供給される。
【００１０】
この場合、暖房を開始してからの経過時間は、各床暖房パネルごとに計測される。また、第２の温度の温水を供給する時間は、各床暖房パネルごとに設定される。したがって、本システムによれば、各部屋ごとに床暖房の種類に合ったホットダッシュ時間を設定することができる。
【００１１】
また、温度制御手段は、第１の温度の温水の供給要求と第２の温度の温水の供給要求とが競合した場合、熱源機から出力される温水の温度を第１，第２の温度のうち予め定めた温度に設定する。この場合、予め定めた温度として第２の温度を設定するようにすれば、ある床暖房パネルに第１の温度の温水を供給している状態において、他の床暖房パネルで第２の温度の温水の供給要求が発生した場合、温水の温度を第１の温度から第２の温度に切り替えることができる。これにより、この他の床暖房パネルにおいても、ホットダッシュ機能を得ることができる。これに対し、予め定めた温度として第１の温度を設定するようにすれば、ある床暖房パネルに第１の温度の温水を供給している状態において、他の床暖房パネルで第２の温度の温水の供給要求が発生した場合、ある床暖房パネルに第２の温度の温水が供給されることを防止することができる。これにより、ある床暖房パネル側で低温やけどが発生してしまう危険性をなくすことができる。
【００１２】
請求項２記載の温水循環式の床暖房システムは、請求項１記載のシステムにおいて、各床暖房パネルごとに、この床暖房パネルによる暖房温度を検出する温度検出手段と、各床暖房パネルごとに、この床暖房パネルによって暖房が開始されてから時間計測手段の計測時間が時間設定手段の設定時間を越えるまでの間に、温度検出手段の検出温度が予め定めた温度を越えたか否かを判定する温度判定手段と、この温度判定手段により、床暖房パネルによって暖房が開始されてから時間計測手段の計測時間が時間設定手段の設定時間を越えるまでの間に、温度検出手段の検出温度が予め定めた温度を越えたと判定されると、温水供給要求手段の要求を第２の温度の温水の供給要求から第１の温度の温水の供給要求に切り替える供給要求切替え手段とを備えたものである。
【００１３】
請求項２記載の温水循環式の床暖房システムでは、ある床暖房パネルによる暖房要求が発生すると、温度検出手段によりその暖房温度が検出される。また、これと並行して、温度判定手段により、時間計測手段の計測時間が時間設定手段の設定時間を越える前に、温度検出手段の検出温度が予め定めた温度を越えたか否かが判定される。この判定処理により、検出温度が予め定めた温度を越えたと判定されると、供給要求切替え手段により温水供給要求手段の温水供給要求が第２の温度の温水の供給要求から第１の温度の温水の供給要求に切り替えられる。これにより、床温が上がり過ぎて、低温やけどを起こしてしまうことを防止することができる。
【００１４】
請求項３記載の温水循環式の床暖房システムは、請求項１記載のシステムにおいて、時間設定手段を床暖房パネル側に設けるようにしたものである。
【００１５】
請求項３記載の温水循環式の床暖房システムでは、時間設定手段が床暖房パネル側に設けられる。したがって、利用者は部屋にいながら、第２の温度の温水を供給する時間を設定することができる。
【００２１】
【発明の実施の形態】
以下、図面を参照しながら、本発明の実施の形態を詳細に説明する。
【００２２】
図１は、本発明の第１の実施の形態の構成を示す回路図である。図示の温水循環式の床暖房システムは、温水を供給する熱源機１０と、部屋２０（１）〜２０（Ｎ）（Ｎは、２以上の整数）に設けられた床暖房パネル２１（１）〜２１（Ｎ）と、部屋２０（１）〜２０（Ｎ）に設けられた遠隔制御装置２２（１）〜２２（Ｎ）と、熱源機１０と床暖房パネル２１（１）〜２１（Ｎ）とを接続する温水管３０と、温水制御弁４０（１）〜４０（Ｎ）とを有する。
【００２３】
熱源機１０は、温水を生成する温水熱交換機１１と、温水制御弁４０（１）〜４０（Ｎ）の開閉を制御する弁制御部１２（１）〜１２（Ｎ）と、温水の温度を制御する温度制御部１３と、利用者が熱源機１０に各種命令や情報を入力するための入力部１４とを有する。弁制御部１２（１）〜１２（Ｎ）と温度制御部１３とは、例えば、中央処理装置によって構成されている。この場合、これらは、１つの中央処理装置で構成してもよいし、複数の中央処理装置で構成してもよい。
【００２４】
遠隔制御装置２２（１）〜２２（Ｎ）は、熱源機１０を遠隔制御するための制御部２２１（１）〜２２１（Ｎ）と、暖房を開始してからの経過時間を計測するためのタイマ２２２（１）〜２２２（Ｎ）と、現在の室温（以下「現在室温」という。）を検出するための室温センサ２２３（１）〜２２３（Ｎ）と、利用者が遠隔制御装置２２（１）〜２２（Ｎ）に各種命令や情報を入力するための入力部２２４（１）〜２２４（Ｎ）とを有する。
【００２５】
上記構成において、動作を説明する。まず、図１の全体的な動作を説明する。いま、どの床暖房パネル２１（１）〜２１（Ｎ）によっても暖房がなされていない状態において、例えば、床暖房パネル２１（１）による暖房要求が発生したものとする。この要求は、例えば、遠隔制御装置２２（１）の入力部２２４（１）に設けられた床暖房システムの運転スイッチをオン状態に設定することにより発生する。
【００２６】
制御部２２１（１）は、床暖房パネル２１（１）による暖房要求が発生すると、弁制御部１２（１）に、第１の温度、例えば、６０°Ｃより高い第２の温度、例えば、８０°Ｃの温水の供給を要求する。これとともに、制御部２２１（１）は、タイマ２２２（１）をオン状態に設定する。これにより、床暖房パネル２１（１）によって暖房を開始してからの経過時間が計測される。このあと、制御部２２１（１）は、タイマ２２２（１）の計測時間が予め定めたホットダッシュ時間を越えたか否かを判定する。越えない場合は、制御部２２１（１）は、弁制御部１２（１）に対しそのまま８０°Ｃ温水の供給を要求し続ける。これに対し、越えると、例えば、６０°Ｃの温水の供給を要求する。
【００２７】
但し、制御部２２１（１）は、ホットダッシュ期間であっても、室温センサ２２３（１）によって検出された現在室温Ｔａが予め定めた温度（以下「設定室温」という。）Ｔｓ以上になると、温水の供給要求を強制的に８０°温水の供給要求から６０°Ｃ温水の供給要求に切り替える。これは、現在室温Ｔａが高くなっているにもかかわらず、８０°Ｃ温水を供給し続けることによって、低温やけどが発生してしまうことを防止するためである。なお、ホットダッシュ時間と設定室温Ｔｓとは、入力部２２４（１）を用いて、利用者によって設定される。
【００２８】
弁制御部１２（１）は、制御部２２１（１）から温水の供給要求を受信すると、温水制御弁４０（１）を開く。これにより、温水熱交換機１１から温水管３０を介して床暖房パネル２１（１）に温水が供給される。これとともに、弁制御部１２（１）は、制御部２２１（１）から受信した温水の供給要求を温度制御部１３に供給する。温度制御部１３は、この要求が受信すると、温水熱交換機１１から出力される温水の温度をこの要求によって指定される温度に設定する。これにより、温水の温度は８０°Ｃまたは６０°Ｃに設定される。その結果、床暖房パネル２１（１）に対し、制御部２２１（１）により要求された温度の温水が供給される。
【００２９】
このあと、他の床暖房パネル、例えば、床暖房パネル２２（２）による暖房要求が発生した場合も、同じようにして温水の供給がなされる。この場合、温度制御部１３は、温水熱交換機１１から出力される温水の温度を６０°Ｃに設定している状態において、制御部２２１（２）から８０°Ｃ温水の供給要求を受信すると、温水温度を８０°Ｃに切り替える。これに対し、温水熱交換機１１から出力される温水の温度を８０°Ｃに設定している状態において、制御部２２１（２）から６０°Ｃ温水の供給要求を受信すると、温水温度を８０°Ｃに保持する。すなわち、温度制御部１３は、８０°Ｃ温水の供給要求と６０°Ｃ温水の供給要求とが競合した場合、８０°Ｃ温水の供給を優先する（高温優先）。
【００３０】
なお、詳細な説明は省略するが、床暖房パネル２１（１），２１（２）以外の床暖房パネル２１（３）〜２１（Ｎ）の暖房要求が発生した場合も、上述したような動作が行われる。以上が図１の全体的な動作である。
【００３１】
次に、図面を参照しながら、各制御部２２１（ｎ）（ｎ＝１，２，…，Ｎ）の動作と、各弁制御部１２（ｎ）の動作と、温度制御部１３の動作をさらに詳細に説明する。
【００３２】
まず、図２を参照しながら、各制御部２２１（ｎ）の動作を説明する。ここで、図２は、この制御部２２１（ｎ）の動作を示すフローチャートである。図示の処理は、各遠隔制御装置２２（ｎ）の入力部２２４（ｎ）に設けられたシステムの運転スイッチがオン状態に設定されることにより開始される。
【００３３】
この処理においては、制御部２２１（ｎ）は、まず、タイマ２２２（ｎ）をオン状態に設定する（ステップＳ１０１）。これにより、床暖房パネル２１（ｎ）によって暖房が開始されてからの経過時間が計測される。このあと、制御部２２１（ｎ）は、現在室温Ｔａが設定室温Ｔｓより小さいかか否かを判定する（ステップＳ１０２）。小さい場合、制御部２２１（ｎ）は、対応する弁制御部１２（ｎ）に対し８０°Ｃ温水の供給を要求する（ステップＳ１０３）。
【００３４】
この要求を出力した後、制御部２２１（ｎ）は、運転スイッチがオフ状態に設定されたか否かを判定する（ステップＳ１０４）。オフ状態に設定されていなければ、タイマ２２２（ｎ）の計測時間ＴＩＭＥがホットダッシュ時間を越えたか否かを判定する（ステップＳ１０５）。図には、ホットダッシュ時間として、３０分を設定する場合を示す。ホットダッシュ時間を越えていない場合は、ステップＳ１０２に戻る。以下、同様に、現在室温Ｔａが設定室温Ｔｓ以上になるまで、または、運転スイッチがオフ状態に設定されるまで、または、計測時間ＴＩＭＥがホットダッシュ時間を越えるまで上述した処理が繰り返される。
【００３５】
この状態で、計測時間ＴＩＭＥがホットダッシュ時間を越えると、制御部２２１（ｎ）は、弁制御部１２（ｎ）に対し６０°Ｃ温水の供給を要求する（ステップＳ１０６）。このあと、タイマ２２１（ｎ）は、運転スイッチがオフ状態に設定されたか否かを判定し（ステップＳ１０７）、設定されなければ、ステップＳ１０６に戻る。以下、同様に、タイマ２２１（ｎ）は、運転スイッチがオフ状態に設定されるまで上述した処理を実行する。この状態で、運転スイッチがオフ状態に設定されると、制御部２２１（ｎ）は、弁制御部１２（ｎ）に対し温水の停止を要求する（ステップＳ１０８）。
【００３６】
なお、上記ステップＳ１０４で、運転スイッチがオフ状態に設定されたと判定すると、制御部２２１（ｎ）は、タイマ２２２（１）をオフ状態に設定した後（ステップＳ１０９）、弁制御部１２（ｎ）に対し温水の停止を要求する（ステップＳ１０８）。
【００３７】
また、上記ステップＳ１０２において、現在室温Ｔａが設定室温Ｔｂ以上になったと判定すると、制御部２２１（ｎ）は、ステップＳ１０６の処理を実行する。これにより、この場合は、弁制御部１２（ｎ）に６０°Ｃ温水の供給が要求される。その結果、ホットダッシュ時間が経過しなくても、温水の供給要求が８０°Ｃ温水の供給要求から６０°Ｃ温水の供給要求に切り替えられる。なお、運転スイッチがオン状態に設定された時点で、すでに、現在室温Ｔａが設定室温Ｔｓを越えている場合は、８０°Ｃ温水の供給要求が出力されることなく、６０°Ｃ温水の供給要求が出力される。以上が制御部２２１（ｎ）の動作である。
【００３８】
次に、図３を参照しながら、各弁制御部１２（ｎ）の動作を説明する。ここで、図３は、この弁制御部１２（ｎ）の動作を示すフローチャートである。図示の処理は、対応する制御部２２１（１）から温水の供給要求を受信することにより開始される。
【００３９】
この処理においては、弁制御部１２（ｎ）は、まず、対応する温水制御弁４０（ｎ）を開く（ステップＳ２０１）。これにより、温水熱交換機１１から温水管３０を介して床暖房パネル２１（ｎ）に温水が供給される。この温水の温度は、後述する温度制御部１３の制御によって決定される。このあと、弁制御部１２（ｎ）は、受信要求が８０°Ｃ温水の供給要求か否かを判定する（ステップＳ２０２）。８０°Ｃ温水の供給要求であれば、弁制御部１２（ｎ）は温度制御部１３に対し８０°Ｃ温水の供給を要求する（ステップＳ２０３）。これに対し、８０°Ｃ温水の供給要求でなければ、６０°Ｃ温水の供給を要求する（ステップＳ２０６）。
【００４０】
８０°Ｃ温水の供給を要求した場合は、弁制御部１２（ｎ）は、このあと、温水の停止要求を受信したか否かを判定する（ステップＳ２０４）。この要求を受信しない場合は、６０°Ｃ温水の供給要求が受けたか否かを判定する（ステップＳ２０５）。この要求を受信しない場合は、ステップＳ２０３に戻り、８０°Ｃ温水の供給要求を出力し続ける。以下、同様に、温水停止要求を受信するまで、または、６０°Ｃ温水の供給要求を受信まで上述したような処理を実行する。
【００４１】
この状態で、６０°Ｃ温水の供給要求を受信すると、弁制御部１２（ｎ）は、この要求を温度制御部１３に供給する（ステップＳ２０６）。この処理は、温水の停止要求を受信するまで続けられる（ステップＳ２０７）。この状態で、温水の停止要求を受信すると、弁制御部１２（ｎ）は、この要求を温度制御部１３に供給する（ステップＳ２０８）。このあと、弁制御部１２（ｎ）は、温水制御弁４０（ｎ）を閉じる（ステップＳ２０９）。これにより、床暖房パネル２１（ｎ）に対する温水の供給が停止される。
【００４２】
なお、上記ステップＳ２０４で、温水の停止要求を受信したと判定すると、弁制御部１２（ｎ）は、ステップＳ２０８の処理を実行する。これにより、この場合は、床暖房パネル２１（ｎ）に対する温水の供給が停止される。以上が弁制御部１２（ｎ）の動作である。
【００４３】
次に、図４を参照しながら、温度制御部１３の動作を説明する。ここで、図４は、温度制御部１３の動作を示すフローチャートである。図示の処理は、Ｎ個の弁制御部１２（１）〜１２（Ｎ）の少なくとも１つから温水の供給要求または停止要求を受信することにより開始される。
【００４４】
この処理においては、温度制御部１３は、まず、弁制御部１２（１）から温水の供給要求を受信しているか否かを判定する（ステップＳ３１１）。ここで、温水の供給要求を受信している場合とは、過去に温水の供給要求を受信し、その後温水の停止要求を受信することなく、現在も引き続き温水の供給要求を受信している場合と、温水の停止要求を受信している状態において、まさに、今、温水の供給要求を受信した場合との２つの場合が含まれる。温水の供給要求を受信している場合は、温度制御部１３は、この要求が８０°Ｃ温水の供給要求か否かを判定する（ステップＳ３１２）。これに対し、温水の供給要求を受信していない場合は、温度制御部１３は、弁制御部１２（２）から温水の供給要求を受信しているか否かを判定する（ステップＳ３２１）。ここで、温水の供給要求を受信していない場合とは、温水の停止要求を受信している場合に相当する。温水の停止要求を受信している場合とは、過去に温水の停止要求を受信し、その後温水の供給要求を受信することなく、現在も引き続き温水の停止要求を受信している場合と、温水の供給要求を受信している状態において、まさに、今、温水の停止要求を受信した場合との２つの場合が含まれる。
【００４５】
ステップＳ３１２で、弁制御部１２（１）から受信した温水の供給要求が８０°Ｃ温水の供給要求であると判定した場合、温度制御部１３は、温水熱交換機１１から出力される温水の温度を８０°Ｃに設定する（ステップＳ３０１）。これに対し、８０°Ｃ温水の供給要求でないと判定した場合、温度制御部１３は、弁制御部１２（２）から温水の供給要求を受信しているか否かを判定する（ステップＳ３２１）。ここで、温水の供給要求が８０°Ｃ温水の供給要求でない場合とは、この要求が６０°Ｃ温水の供給要求である場合に相当する。
【００４６】
弁制御部１２（２）から温水の供給要求を受信している場合は、温度制御部１３は、この要求が８０°Ｃ温水の供給要求か否かを判定する（ステップＳ３２２）。これに対し、温水の供給要求を受信していない場合は、温度制御部１３は、弁制御部１２（３）から温水の供給要求を受信しているか否かを判定する（図示せず）。弁制御部１２（２）から受信した温水の供給要求が８０°Ｃ温水の供給要求である場合は、温度制御部１３は、温水熱交換機１１から出力される温水の温度を８０°Ｃに設定する（ステップＳ３０１）。これに対し、８０°Ｃ温水の供給要求でない場合、温度制御部１３は、弁制御部１２（３）から温水の供給要求を受信しているか否かを判定する（図示せず）。
【００４７】
以下、同様に、温度制御部１３は、温水の供給要求が８０°Ｃ温水の供給要求と判定されない限り、弁制御部１２（Ｎ）まで上述した処理を繰り返す（ステップＳ３Ｎ１，Ｓ３Ｎ２等）。そして、弁制御部１２（Ｎ）から温水の供給要求を受信していない場合（ステップＳ３Ｎ１でＮの場合）、あるいは、この要求は受信しているが、これが８０°Ｃ温水の供給要求でない場合（ステップＳ３Ｎ２でＮの場合）、温度制御部１３は、すべての弁制御部１２（１）〜１２（Ｎ）から温水の停止要求を受信しているか否かを判定する（ステップＳ３０２）。この判定で、いずれか１つの弁制御部１２（ｎ）からでも温水の停止要求を受信していないと判定した場合、温度制御部１３は、温水熱交換機１１から出力される温水の温度を６０°Ｃに設定する（ステップＳ３０３）。これに対し、すべての弁制御部１２（１）〜１２（Ｎ）から温水の停止要求を受信している場合は、温度制御部１３は、温水の生成を停止する（ステップＳ３０４）。以上が温度制御部１３の動作である。
【００４８】
ここで、この温度制御部１３の動作を具体例を使ってさらに詳細に説明する。いま、温度制御部１３は、すべての弁制御部１２（１）〜１２（Ｎ）から温水の停止要求を受信しているものとする。この状態において、例えば、弁制御部１２（１）からの要求が温水の停止要求から８０°Ｃ温水の供給要求に切り替えられたものとする。これにより、温度制御部１３は、温水の供給要求を受信したことになる。その結果、温度制御部１３は、図４に示した処理を実行する。この場合、温度制御部１３は、ステップＳ３１１，Ｓ３１２，Ｓ３０１の処理を順次実行する。これにより、この場合は、温水の温度が８０°Ｃに設定される。
【００４９】
この状態で、次の弁制御部１２（１）からの要求が８０°Ｃ温水の供給要求から６０°Ｃ温水の供給要求に切り替えられたものとする。これにより、温度制御部１３は、新たに温水の供給要求を受信したことになる。その結果、温度制御部１３は、図４に示した処理を実行する。この場合、温度制御部１３は、ステップＳ３１１，Ｓ３１２，…，Ｓ３Ｎ１，Ｓ３Ｎ２，Ｓ３０２，Ｓ３０３の処理を順次実行する。これにより、この場合は、温水の温度が６０°Ｃに設定される。
【００５０】
この状態で、弁制御部１２（２）からの要求が温水の停止要求から８０°温水の供給要求に切り替えられたとする。これにより、温度制御部１３は、新たに温水の供給要求を受信したことになる。その結果、温度制御部１３は、図４に示した処理を実行する。この場合、温度制御部１３は、ステップＳ３１１，Ｓ３１２，Ｓ３２１，Ｓ３２２，Ｓ３０１の処理を順次実行する。これにより、温水の温度が６０°Ｃから８０°Ｃに切り替えられる。
【００５１】
この状態で、弁制御部１２（２）からの要求が８０°温水の供給要求から温水の停止要求に切り替えられたとする。これにより、温度制御部１３は、新たに温水の停止要求を受信したことになる。その結果、温度制御部１３は、図４に示した処理を実行する。この場合、温度制御部１３は、ステップＳ３１１，Ｓ３１２，…，Ｓ３Ｎ１，Ｓ３Ｎ２，Ｓ３０２，Ｓ３０３の処理を順次実行する。これにより、この場合は、温水の温度が８０°Ｃから６０°Ｃに切り替えられる。
【００５２】
この状態で、弁制御部１２（１）からの要求が６０°温水の供給要求から温水の停止要求に切り替えられたとする。これにより、温度制御部１３は、新たに温水の停止要求を受信したことになる。その結果、温度制御部１３は、図４に示した処理を実行する。この場合、温度制御部１３は、ステップＳ３１１，Ｓ３１２，…，Ｓ３Ｎ１，Ｓ３Ｎ２，Ｓ３０２，Ｓ３０４の処理を順次実行する。これにより、この場合は、温水の生成が停止される。以上が温度制御部１３の動作の具体例である
【００５３】
以上詳述したように本実施の形態によれば、各床暖房パネル２１（ｎ）ごとにホットダッシュ時間を設定することができるようにしたので、各部屋２０（ｎ）ごとに床暖房の種類に合ったホットダッシュ時間を設定することができる。
【００５４】
また、本実施の形態によれば、ホットダッシュ期間内であっても、現在室温Ｔａが設定室温Ｔｓを越えると、温水の供給要求を強制的に８０°Ｃ温水の供給要求から６０°Ｃ温水の供給要求に切り替えるようにしたので、床温が上昇し過ぎることよる低温やけどの発生を防止することができる。
【００５５】
また、本実施の形態によれば、ホットダッシュ時間の設定機能を床暖房パネル２１（ｎ）側に設けるようにしたので、利用者は、部屋２０（ｎ）にいながら、ホットダッシュ時間を設定することができる。
【００５６】
また、本実施の形態によれば、６０°Ｃ温水の供給要求と８０°Ｃ温水の供給要求とが競合した場合、８０°Ｃ温水の供給要求を優先させるようにしたので、ある床暖房パネル２１（ａ）（ａ＝１，２，…，Ｎ）に６０°Ｃ温水が供給されている状態において、他の床暖房パネル２１（ｂ）（ｂ＝１，２，…，Ｎ、ただし、ａとｂは異なる。）で８０°Ｃ温水の供給要求が発生した場合、温水の温度を８０°Ｃに切り替えることができる。これにより、この他の床暖房パネル２１（ｂ）においても、ホットダッシュ機能を得ることができる。
【００５７】
また、本実施の形態によれば、本実施の形態の主要機能のほとんど（ホットダッシュ時間を設定する機能、暖房時間を計測する機能、計測時間がホットダッシュ時間を越えたか否かを判定する機能、この判定結果に基づいて温水の供給を要求する機能、現在室温Ｔａが設定室温Ｔｓを越えたか否かを判定する機能、この判定結果に基づいて温水の供給要求を強制的に切り替える機能）を遠隔制御装置２２（ｎ）に設けるようにしたので、床暖房パネル２１（ｎ）を増設する場合、遠隔制御装置２２（ｎ）を増設するだけでこれに対処することができる。これにより、床暖房パネル２１（ｎ）の増設を簡単に行うことができる。
【００５８】
なお、以上の説明では、制御部２２１（ｎ）の機能を床暖房パネル２１（ｎ）側に設ける場合を説明したが、本実施の形態では、熱源機１０側に設けるようにしてもよい。この場合は、タイマ２２２（ｎ）や室温センサ２２３（ｎ）の出力を熱源機１０に送るようにすればよい。
【００５９】
図５は、本発明の第２の実施の形態の構成を示すブロック図である。なお、図５において、先の図１と同一部には、同一符号を付して詳細な説明を省略する。図５において、図１と異なる点は、ホットダッシュ時間を計測するためのタイマ１５（１）〜１５（Ｎ）を熱源機１０側に設けた点である。この場合、各床暖房パネル２１（ｎ）のホットダッシュ時間は、熱源機１０の入力部１４、または、各遠隔制御装置２２（ｎ）の入力部２２４（ｎ）を使って設定される。入力部２２４（ｎ）を使って設定する場合は、設定命令が制御部２２５（ｎ）から弁制御部１６（ｎ）に送られる。
【００６０】
上記構成において、動作を説明する。なお、図５の全体的な動作は、図１の全体的な動作とほぼ同じであり、図５の温度制御部１３の動作は、図１の温度制御部１３の動作とほぼ同じである。したがって、以下の説明では、図５の遠隔制御装置２２（ｎ）の制御部２２５（ｎ）の動作と、熱源機１０の弁制御部１６（ｎ）の動作を説明する。
【００６１】
まず、図６を参照しながら、制御部２２５（ｎ）の動作を説明する。ここで、図６は、制御部２２５（ｎ）の動作を示すフローチャートである。この図６において、図２と異なる点は、タイマのオン、オフを制御する処理（図２のステップＳ１０１，Ｓ１０９）と、ホットダッシュ時間が経過したか否かを判定する処理（図２のステップＳ１０５）とがない点であり、そのほかの点は図２とほぼ同じである。
【００６２】
すなわち、入力部２２４（ｎ）に設けられたシステムの運転スイッチがオン状態に設定されると、制御部２２５（ｎ）は、現在室温Ｔａが設定室温Ｔｓより小さいか否かを判定し（ステップＳ４０１）、小さい場合は、弁制御部１６（ｎ）に８０°Ｃ温水の供給を要求する（ステップＳ４０２）。このあと、制御部２２５（ｎ）は、運転スイッチがオフ状態に設定されたか否かを判定し（ステップＳ４０３）、オフ状態に設定されていなければ、ステップＳ４０１に戻る。以下、同様に、現在室温Ｔａが設定室温Ｔｓ以上になるまで、または、運転スイッチがオフ状態に設定されるまで上述した処理が実行される。
【００６３】
この状態で、現在室温Ｔａが設定室温Ｔｓ以上になると、制御部２２５（ｎ）は、弁制御部１６（ｎ）に６０°Ｃ温水の供給を要求した後（ステップＳ４０４）、運転スイッチがオフ状態に設定されたか否かを判定し（ステップＳ４０５）、オフ状態に設定されなければ、ステップＳ４０４に戻る。以下、同様に、運転スイッチがオフ状態に設定されるまで上述した処理が実行される。この状態で、運転スイッチがオフ状態に設定されると、制御部２２５（ｎ）は、弁制御部１６（ｎ）に温水の供給停止を要求する（ステップＳ４０６）。なお、上記ステップＳ４０３で、運転スイッチがオフ状態に設定されたと判定されると、ステップＳ４０６に移行し、弁制御部１６（ｎ）に温水の供給停止を要求する。以上が制御部２２５（ｎ）の動作である。
【００６４】
次に、図７を参照しながら、各弁制御部１６（ｎ）の動作を説明する。ここで、図７は、弁制御部１６（ｎ）の動作を示すフローチャートである。この図７において、図３と異なる点は、タイマのオン、オフを制御する処理（図７のステップＳ５０３，Ｓ５１３）と、ホットダッシュ時間が経過したか否かを判定する処理（図７のステップＳ５０７）とが付加されている点であり、そのほかの点はほぼ同じである。
【００６５】
すなわち、弁制御部１６（ｎ）は、対応する制御部２２５（ｎ）から温水の供給要求を受信すると、温水制御弁４０（ｎ）を開いた後（ステップＳ５０１）、受信要求が８０°Ｃ温水の供給要求か否かを判定する（ステップＳ５０２）。受信要求が８０°Ｃ温水の供給要求であれば、タイマ１６（ｎ）をオン状態に設定した後（ステップＳ５０３）、温度制御部１３に８０°Ｃ温水の供給を要求する（ステップＳ５０４）。このあと、弁制御部１６（ｎ）は、温水の停止要求を受信したか否かを判定し（ステップＳ５０５）、受信しない場合は、６０°Ｃ温水の供給要求を受信した否かを判定する（ステップＳ５０６）。６０°Ｃ温水の供給要求を受信しない場合は、弁制御部１６（ｎ）は、タイマ１６（ｎ）の計測時間ＴＩＭＥがホットダッシュ時間を越えたか否かを判定し（ステップＳ５０７）、越えていない場合は、ステップＳ５０４に戻る。以下、同様に、温水の停止要求を受信するまで、または、６０°Ｃ温水の供給要求を受信するまで、または、計測時間ＴＩＭＥがホットダッシュ時間を越えるまで上述したような処理が実行される。
【００６６】
この状態で、計測時間ＴＩＭＥがホットダッシュ時間を越えると、弁制御部１６（ｎ）は、温度制御部１３に６０°Ｃ温水の供給を要求した後（ステップＳ５０８）、温水の停止要求を受信したか否かを判定する（ステップＳ５０９）。この要求を受信しない場合は、ステップＳ５０８に戻る。以下、同様に、温水の停止要求を受信するまで上述したような処理が実行される。この状態で、温水の停止要求を受信すると、弁制御部１６（ｎ）は、この要求を温度制御部１３に送った後（ステップＳ５１０）、温水制御弁４０（ｎ）を閉じる（ステップＳ５１１）。
【００６７】
なお、弁制御部１６（ｎ）は、上記ステップＳ５０６で、６０°Ｃ温水の供給要求を受信したと判定した場合は、タイマ１５（ｎ）をオフ状態に設定した後（ステップＳ５１２）、ステップＳ５０８の処理を実行する。これにより、この場合は、温度制御部１３に６０°Ｃ温水の供給要求が供給される。また、上記ステップＳ５０５で、温水の停止要求を受信したと判定した場合は、ステップＳ５１１の処理を実行する。これにより、この場合は、温度制御部１３に温水の停止要求が供給される。さらに、上記ステップＳ５０２で、受信要求が８０°Ｃ温水の供給要求でないと判定した場合は、ステップＳ５０８の処理を実行する。これにより、この場合は、温度制御部１３に６０°Ｃ温水の供給要求が送られる。以上が、弁制御部１６（ｎ）の動作である。
【００６８】
以上詳述した本実施の形態においても、先の実施の形態とほぼ同じような効果を得ることができる。
【００６９】
なお、以上の説明では、制御部２２５（ｎ）の機能を床暖房パネル２１（ｎ）側に設ける場合を説明したが、熱源機１０側に設けるようにしてもよい。この場合は、室温センサ２２３（ｎ）の出力等を熱源機１０に送るようにすればよい。
【００７０】
以上、本発明の２つの実施の形態を説明したが、本発明は、上述したような実施の形態に限定されるものではない。例えば、先の実施の形態では、第１の温度の温水の供給要求とこの第１の温度より高い第２の温度の温水の供給要求とが競合した場合、第２の温度の温水の供給を優先させる場合（高温優先）を説明した。しかし、本発明は、これとは逆に、第１の温度の温水の供給を優先させるようにしてもよい（低温優先）。このような構成によれば、ある床暖房パネルに第１の温度の温水が供給されている状態において、他の床暖房パネルで第２の温度の温水の供給要求が発生した場合であっても、ある床暖房パネルに第２の温度の温水が供給されることがない。これにより、この床暖房パネル側で低温やけどが発生してしまう危険性をなくすことができる。このほかにも、本発明は、その要旨を逸脱しない範囲で種々様々変形実施可能なことは勿論である。
【００７１】
【発明の効果】
以上詳述したように請求項１記載の温水循環式の床暖房システムによれば、各床暖房パネルごとにホットダッシュ時間を設定可能としたので、各部屋ごとに床暖房の種類に合ったホットダッシュ時間を設定することができる。
【００７２】
また、第１の温度の温水の供給要求と第２の温度の温水の供給要求とが競合した場合、熱源機から出力される温水の温度を第１，第２の温度のうち予め定めた温度に設定するようにしたので、予め定めた温度として、第２の温度を設定するようにすれば、暖房要求の発生順位に関係なく、すべての床暖房パネルでホットダッシュ機能を得ることができ、第１の温度を設定するようにすれば、すでに第１の温度の温水の供給を受けている床暖房パネルで低温やけどが発生してしまう危険性をなくすことができる。
【００７３】
請求項２記載の温水循環式の床暖房システムによれば、ホットダッシュ期間であっても、暖房温度が予め定めた温度を越えると、温水の供給要求を第２の温度の温水の供給要求から第１の温度の温水の供給要求に切り替えるようにしたので、床温が上昇し過ぎることよる低温やけどの発生を防止することができる。
【００７４】
また、請求項３記載の温水循環式の床暖房システムによれば、ホットダッシュ時間の設定機能を床暖房パネル側に設けるようにしたので、利用者は、部屋にいながら、ホットダッシュ時間を設定することができる。
【図面の簡単な説明】
【図１】本発明の第１の実施の形態の構成を示すブロック図である。
【図２】第１の実施の形態の制御部の動作を示すフローチャートである。
【図３】第１の実施の形態の弁制御部の動作を示すフローチャートである。
【図４】第１の実施の形態の温度制御部の動作を示すフローチャートである。
【図５】本発明の第２の実施の形態の構成を示すブロック図である。
【図６】第２の実施の形態の制御部の動作を示すフローチャートである。
【図７】第２の実施の形態の弁制御部の動作を示すフローチャートである。
【符号の説明】
１０…熱源機、１１…温水熱交換機、１２（１）〜１２（Ｎ），１６（１）〜１６（Ｎ）…弁制御部、１３…温度制御部、１４，２２４（１）〜２２４（Ｎ）…入力部、２２２（１）〜２２２（Ｎ）…タイマ、２０（１）〜２０（Ｎ）…部屋、２１（１）〜２１（Ｎ）…床暖房パネル、２２（１）〜２２（Ｎ）…遠隔制御装置、２２１（１）〜２２１（Ｎ），２２５（１）〜２２５（Ｎ）…制御部、２２３（１）〜２２３（Ｎ）…室温センサ。
【図１】
0003636249.tif 000002
【図２】
0003636249.tif 000003
【図３】
0003636249.tif 000004
【図４】
0003636249.tif 000005
【図５】
0003636249.tif 000006
【図６】
0003636249.tif 000007
【図７】
0003636249.tif 000008